(57)【要約】【課題】  家庭等において、バケツ等で容易に洗浄することのできる脱臭フィルターを提供することを目的とする。  また、他の目的は、成型用金型の製作に掛かるコストを低減することのできる脱臭フィルターを提供することである。【解決手段】  脱臭剤等２をフィルター枠１に形成された多数の収納区画室３内に収納した全体が板状のものである。かつ、複数の帯板状の板片４に分割した構造とする。さらに、複数の板片４を、順次、連結・分離自在として、連結手段10にて連結したものである。【選択図】  図１
2006288980.tif 000002
【特許請求の範囲】
【請求項１】
フィルター枠（１）と脱臭剤等（２）とから成り該脱臭剤等（２）を該フィルター枠（１）に形成された多数の収納区画室（３）内に収納した全体が板状の脱臭フィルターに於て、
複数の帯板状の板片（４）に分割した構造とすると共に、該複数の板片（４）を、順次、連結・分離自在として、連結手段（10）にて連結したことを特徴とする脱臭フィルター。
【請求項２】
フィルター枠（１）と脱臭剤等（２）とから成り該脱臭剤等（２）を該フィルター枠（１）に形成された多数の収納区画室（３）内に収納した全体が板状の脱臭フィルターに於て、
複数の帯板状の板片（４）に分割した構造とすると共に、該複数の板片（４）を、交互に逆方向に折畳み自在として、ヒンジ手段（20）にて連結したことを特徴とする脱臭フィルター。
【発明の詳細な説明】
【技術分野】
【０００１】
本発明は、空気清浄機やエアコンに用いる脱臭フィルターに関するものである。
【背景技術】
【０００２】
従来の脱臭フィルターとして、多数の合成樹脂繊維を有する厚めの不織布のフィルター材を２層対向状に配設すると共に、その間で多孔芯材をサンドイッチ状に挟持し、かつ、多孔芯材の表面及び合成樹脂繊維の表面に、短繊維状活性炭を静電植毛して成るものが知られている（例えば、特許文献１参照）。
【特許文献１】特開平９−７０５１１号公報
【発明の開示】
【発明が解決しようとする課題】
【０００３】
この従来の脱臭フィルターは、一枚の略正方形の板状に形成されており、大きな面積を有するので、一般家庭で洗浄水で洗浄するためにバケツに出し入れするのが困難であり、洗いづらいという欠点がある。
【０００４】
そこで、本発明は、家庭等において、バケツ等で容易に洗浄することのできる脱臭フィルターを提供することを目的とする。
また、他の目的は、成型用金型の製作に掛かるコストを低減することのできる脱臭フィルターを提供することである。
【課題を解決するための手段】
【０００５】
上記の目的を達成するために、本発明に係る脱臭フィルターは、フィルター枠と脱臭剤等とから成り該脱臭剤等を該フィルター枠に形成された多数の収納区画室内に収納した全体が板状の脱臭フィルターであり、複数の帯板状の板片に分割した構造とすると共に、該複数の板片を、順次、連結・分離自在として、連結手段にて連結したものである。
【０００６】
また、脱臭フィルターは、フィルター枠と脱臭剤等とから成り該脱臭剤等を該フィルター枠に形成された多数の収納区画室内に収納した全体が板状の脱臭フィルターであり、複数の帯板状の板片に分割した構造とすると共に、該複数の板片を、交互に逆方向に折畳み自在として、ヒンジ手段にて連結したものである。
本発明に於て、脱臭剤等とは、活性炭や各種薬剤等の脱臭作用のあるもの、若しくは、消臭剤、又は、それ等を組み合わせたものを言う。
【発明の効果】
【０００７】
本発明は、次のような著大な効果を奏する。
本発明に係る脱臭フィルターは、複数の帯板状の板片に分割した構造とすると共に、順次、連結・分離自在として、連結手段にて連結したものなので、複数の板片に分割することにより、脱臭フィルターが、バケツ内に十分に出し入れ可能な大きさになる。よって、家庭等に於ても、容易に洗浄でき、特に、中性洗剤を加えた洗浄水をバケツに入れて洗浄することも可能である。
【０００８】
また、脱臭フィルターは、複数の帯板状の板片に分割した構造とすると共に、交互に逆方向に折畳み自在として、ヒンジ手段にて連結したものなので、脱臭フィルターをコンパクトな大きさに折畳むことができ、バケツ内に十分に出し入れ可能な大きさになる。よって、家庭等に於ても、容易に洗浄でき、特に、中性洗剤を加えた洗浄水をバケツに入れて洗浄することも可能である。
【０００９】
しかも、分割した板片を製造するための金型は、分割されない広い面積を有するフィルターを成型するための金型に比べ、はるかに低コストで製作することができる。
【発明を実施するための最良の形態】
【００１０】
以下、実施の形態を示す図面に基づき、本発明を詳説する。
図１，図２及び図３は本発明に係る脱臭フィルターの実施の一形態を示し、脱臭フィルターは、フィルター枠１と脱臭剤等２とを有し、全体が板状である。そして、この脱臭フィルターは、複数の（例えば４枚の）帯板状の板片４…に分割した構造であり、各板片４は、略同一の大きさに形成される。
具体的には、各板片４は、帯板状のフィルター枠１を備え、このフィルター枠１は、区画壁５によって形成される多数の収納区画室３…を備えると共に、一面側に、収納区画室３から外部にかけて貫設された多数の通気用微細孔18…を有する薄膜面部８を備える。
かつ、各板片４は、多数の通気用微細孔16…を有しフィルター枠１の他面側に貼着される薄膜状カバー部材６と、フィルター枠１の収納区画室３内に収納される脱臭剤等２と、を備える。脱臭剤等としては、特に、活性炭が好ましく、活性炭は、例えば図示のような小粒形状を有し、各収納区画室３内には、多数個の活性炭が収納される。フィルター枠１と薄膜状カバー部材６は、プラスチック・紙・発泡樹脂等の材料から成る。
また、各フィルター枠１に於て、各収納区画室３は、例えば矩形状に形成されると共に複数の収納区画室３…が縦方向・横方向に夫々複数列に並べて（碁盤の目状に）配設される（図１，図２参照）。または、収納区画室３は、多角形状に形成されたり、蜂の巣状に配設されるのもよい（図示省略）。
【００１１】
さらに、脱臭フィルターは、複数の板片４…を、順次、連結・分離自在として、連結手段10にて連結されて成る。
具体的には、各板片４のフィルター枠１は、一方の長辺部１ａに沿うように形成された突条部11を、有すると共に、他方の長辺部１ｂに沿うように形成され、突条部11が抜差自在に嵌込まれる凹条部12を、有する。そして、連結手段10は、一の板片４の突条部11と、他の板片４の凹条部12と、から成る。さらに具体的には、突条部11は、断面視に於て一長辺部１ａから突設された首部11ａとこの首部11ａの先端に膨出状に形成された（球状）係止部11ｂとから成る。かつ、凹条部12は、断面視に於て上記首部11ａ・係止部11ｂの外郭形状と略同一形状を有するように、他長辺部１ｂに凹設されたものである。
なお、図１に示したように、脱臭フィルターを構成する複数枚の板片４…のうち、両端に配設される板片４，４について、一方の板片４は突条部11のみを有し、かつ、他方の板片４は凹条部12のみを有するのもよい。
【００１２】
図４は本発明に係る脱臭フィルターの他の実施の形態を示し、各板片４のフィルター枠１の一方の長辺部１ａは、その一端から断面視略Ｌ字状の第１引掛条部13が突設され、かつ、他方の長辺部１ｂは、その他端から断面視略Ｌ字状の第２引掛条部23が突設される点で、図１〜図３のものと相違する。そして、図４の脱臭フィルターに於ては、連結手段10は、一の板片４の第１引掛条部13と、別の板片４の第２引掛条部23と、から成る。さらに具体的には、第１・第２引掛条部13，23の先端部には、夫々、係止用段付部13ａ，23ａが形成されており、段付部13ａ，23ａの係止により、第１・第２引掛条部13，23が相互に分離するのが防止される。
さらに図４に示した板片４のフィルター枠１は、図１〜図３のものと相違して、薄膜面部８を有さない。そして、フィルター枠１は、脱臭剤等２…を収納した収納区画室３…を両側から塞ぐように、不織布７，７が貼着される。不織布７は、十分に通気可能である。
【００１３】
次に、図５〜図８は本発明に係る脱臭フィルターの別の実施の形態を示し、図１〜図３に示した脱臭フィルターと以下の点で相違する。即ち、複数の板片４…が、連結手段10に換えて、交互に逆方向に（屏風状に）折畳み自在としてヒンジ手段20にて連結される。
具体的には、ヒンジ手段20は、一の板片４のフィルター枠１の一方の長辺部１ａと、他の板片４の他方の長辺部１ｂとを、夫々の側面の長手方向に沿って連結する薄帯板状ヒンジ部材21を、有する。ヒンジ部材21は、プラスチックや紙等から成る。
そして、隣り合うヒンジ部材21，21は、フィルター枠１に対して互い違いに配設されている。複数の板片４…を、交互に逆方向に折畳み自在である。
【００１４】
なお、図５〜図８に示した脱臭フィルターは、設計変更自在であり、ヒンジ手段20は、上記のヒンジ部材21に換えて、一対のフィルター枠１，１の長辺部１ａ，１ｂが繋がるように形成されて、構成されるのもよい。即ち、一枚の板状フィルター枠に、一面・他面へ交互に平行に切込みを入れて、交互に逆方向に折畳み自在となるようにする（図示省略）。
【００１５】
次に、本発明の脱臭フィルターの使用方法について説明する。
図１のように連結手段10で連結した状態の脱臭フィルターを、使用後に洗浄する場合、連結手段10に於て、矢印９のように板片４をスライドさせて、図２のように、隣り合う板片４，４同士を分割する。こうして、１枚の脱臭フィルターを、複数枚の（図例では４枚の）板片４…に分割し、各板片４を、家庭等で用いられるバケツに、例えば中性洗剤を加えた洗浄水を入れて洗浄する。特許文献１で既述した分割不可能な脱臭フィルターは、家庭用のバケツ等に入りきらない場合が多く、洗浄が困難であるのに対し、本発明の脱臭フィルターは、バケツ内に十分に出し入れできる板片４…に分割されるので、家庭に於ても、容易に洗浄可能である。洗浄後、乾燥したら、連結手段10に於て突条部11を凹条部12に嵌込んで、図１のように連結状態とし、脱臭装置等で使用する。
また、帯板状の板片４を製造するための金型は、特許文献１のような広い面積を有する板状のフィルターを成型するための金型に比べ、はるかに低コストで製作することができる。
【００１６】
また、図５〜図８に示した脱臭フィルターに於ては、使用状態では図６に示したように、複数枚の板片４…が、一枚の板状の脱臭フィルターを成す。この脱臭フィルターを、図７のように、ヒンジ手段20にて交互に逆方向に折曲げ、そして、図８のように、板片４…が順次重なるように折畳み状態とし、バケツにて、洗浄水で洗浄する。洗浄して乾燥が完了したら、図６の状態に展開して、脱臭装置等で使用する。
【００１７】
なお、上記の脱臭フィルターは設計変更自在である。即ち、脱臭フィルターを、複数の帯板状の板片４…に分割した構造とすると共に、夫々の板片４…の連結を、折畳み自在とするヒンジ手段20による連結と、連結・分離自在とする連結手段10による連結とを組み合わせて、脱臭フィルターを成す。図１に示した脱臭フィルターで説明すると、例えば、４枚の板片４…のうち、中間に配設された２枚の板片４Ａ，４Ａを、ヒンジ手段20にて折畳み自在として連結すると共に、この２枚の板片４Ａ，４Ａと、両端に配設された板片４Ｂ，４Ｂとを、連結手段10にて連結する。
【００１８】
以上のように、本発明に係る脱臭フィルターは、フィルター枠１と脱臭剤等２とから成り脱臭剤等２をフィルター枠１に形成された多数の収納区画室３内に収納した全体が板状の脱臭フィルターに於て、複数の帯板状の板片４に分割した構造とすると共に、複数の板片４を、順次、連結・分離自在として、連結手段10にて連結したものなので、連結手段10によって、複数の板片４…に分割することにより、脱臭フィルターが、バケツ内に十分に出し入れ可能な大きさになる。よって、家庭等に於ても、容易に洗浄でき、特に、中性洗剤を加えた洗浄水をバケツに入れて洗浄することも可能である。
しかも、分割した板片４を製造するための金型は、分割されない広い面積を有するフィルターを成型するための金型に比べ、はるかに低コストで製作することができる。
【００１９】
また、脱臭フィルターは、フィルター枠１と脱臭剤等２とから成り脱臭剤等２をフィルター枠１に形成された多数の収納区画室３内に収納した全体が板状の脱臭フィルターに於て、複数の帯板状の板片４に分割した構造とすると共に、複数の板片４を、交互に逆方向に折畳み自在として、ヒンジ手段20にて連結したものなので、ヒンジ手段20によって、脱臭フィルターをコンパクトな大きさに折畳むことができ、バケツ内に十分に出し入れ可能な大きさになる。よって、家庭等に於ても、容易に洗浄でき、特に、中性洗剤を加えた洗浄水をバケツに入れて洗浄することも可能である。
しかも、分割した板片４を製造するための金型は、分割されない広い面積を有するフィルターを成型するための金型に比べ、はるかに低コストで製作することができる。
【図面の簡単な説明】
【００２０】
【図１】本発明に係る脱臭フィルターの実施の一形態を示す斜視図である。
【図２】板片が分割した状態を示す要部斜視図である。
【図３】要部拡大断面平面図である。
【図４】本発明に係る脱臭フィルターの他の実施の形態を示す要部拡大断面平面図である。
【図５】本発明に係る脱臭フィルターの別の実施の形態を示す要部拡大断面平面図である。
【図６】脱臭フィルターを展開した状態を示す平面図である。
【図７】脱臭フィルターをヒンジ手段にて折曲げた状態を示す平面図である。
【図８】脱臭フィルターを折畳んだ状態を示す平面図である。
【符号の説明】
【００２１】
１  フィルター枠
２  脱臭剤等
３  収納区画室
４  板片
10  連結手段
20  ヒンジ手段
【図１】
2006288980.tif 000003
【図２】
2006288980.tif 000004
【図３】
2006288980.tif 000005
【図４】
2006288980.tif 000006
【図５】
2006288980.tif 000007
【図６】
2006288980.tif 000008
【図７】
2006288980.tif 000009
【図８】
2006288980.tif 000010